【手続補正書】
【提出日】平成27年11月16日(2015.11.16)
【手続補正１】
【補正対象書類名】特許請求の範囲
【補正対象項目名】全文
【補正方法】変更
【補正の内容】
【特許請求の範囲】
【請求項１】
複数の選択可能な電力モードにおいて動作可能なデバイスであり、高電力モードの前記デバイスで、
地上ベース送信機から捕捉した信号からの位相値を含む１つまたは複数の属性値を取得することと、
前記位相値は、１つまたは複数の時間位相測定値に少なくとも部分的に基づいて決定される、
前記デバイスが特定の環境内にいることを示すプロフィールテストを前記１つまたは複数の属性値が満たすと決定することに応じて、前記信号を捕捉するために使用された受信機の少なくとも一部分がディスエーブルされ、イネーブルなデバイス回路の少なくとも一部分が少なくとも前記位相値に少なくとも部分的に基づいてタイミング回路を使用する、低電力モードに遷移することと
を備える方法。
【請求項２】
前記デバイスを前記低電力モードに前記遷移することは、前記デバイスが制限された動き状態にあるとの決定に少なくとも部分的に応じることにさらに基づく、
請求項１に記載の方法。
【請求項３】
前記信号はパイロット信号である、請求項１に記載の方法。
【請求項４】
前記１つまたは複数の属性値および／または１つまたは複数の動き制約値は、１つまたは複数の他のデバイスからネットワークインターフェースを介して装置によって取得される、および／または、
請求項１に記載の方法。
【請求項５】
前記高電力モードの前記デバイスで、
前記高電力モードの送信機および前記受信機の使用をイネーブルにすることと、
前記送信機を介して少なくとも１つの他のデバイスと通信することとをさらに備える、請求項１に記載の方法。
【請求項６】
複数の選択可能な電力モードにおいて動作可能なデバイスで使用するための装置であって、
高電力モードの前記デバイスで、
地上ベース送信機から捕捉した信号からの位相値を含む１つまたは複数の属性値を取得するための手段と、
前記位相値は、１つまたは複数の時間位相測定値に少なくとも部分的に基づいて決定される、
前記デバイスが特定の環境内にいることを示すプロフィールテストを前記１つまたは複数の属性値が満たすと決定することに応じて低電力モードに遷移するための手段と
を備え、前記低電力モードにおいて、前記信号を捕捉するために使用された受信機の少なくとも一部分がディスエーブルされ、イネーブルなデバイス回路の少なくとも一部分が少なくとも前記位相値に少なくとも部分的に基づいてタイミング回路を使用する、装置。
【請求項７】
前記デバイスを前記低電力モードに前記遷移するための手段は、前記デバイスが制限された動き状態にあるとの決定に少なくとも部分的に応じることにさらに基づく、
請求項６に記載の装置。
【請求項８】
前記信号は、パイロット信号である、
請求項６に記載の装置。
【請求項９】
１つまたは複数の属性値を取得するための手段は、１つまたは複数の他のデバイスからネットワークインターフェースを介して前記属性値および／または１つまたは複数の動き制約値を取得するように構成される、
請求項６に記載の装置。
【請求項１０】
回路のすべてまたは部分を選択的に電力アップまたは電力ダウンするための手段をさらに備える、
請求項６に記載の装置。
【請求項１１】
複数の選択可能な電力モードにおいて動作可能なデバイスであって、
受信機と、
タイミング回路と、
処理ユニットと
を備え、前記処理ユニットは、高電力モードの前記デバイスで、
地上ベース送信機から前記受信機を介して捕捉した信号からの位相値を含む１つまたは複数の属性値を取得することと、
前記位相値は、１つまたは複数の時間位相測定値に少なくとも部分的に基づいて決定される、
前記デバイスが特定の環境内にいることを示すプロフィールテストを前記１つまたは複数の属性値が満たすと決定することに応じて、前記受信機の少なくとも一部分がディスエーブルされ、イネーブルなデバイス回路の少なくとも一部分が少なくとも前記位相値に少なくとも部分的に基づいて前記タイミング回路を使用する、低電力モードに前記デバイスを遷移することと
を行う、デバイス。
【請求項１２】
前記処理ユニットは、前記デバイスが制限された動き状態にあるとの決定に少なくとも部分的に応じることにさらに基づいて前記低電力モードに前記デバイスを遷移することをさらに行う、
請求項１１に記載のデバイス。
【請求項１３】
前記信号は、パイロット信号である、
請求項１１に記載のデバイス。
【請求項１４】
前記処理ユニットは、１つまたは複数の他のデバイスからネットワークインターフェースを介して前記属性値および／または１つまたは複数の動き制約値を取得するように構成される、
請求項１１に記載のデバイス。
【請求項１５】
請求項１乃至５の方法のいずれか１項を実行するための命令を備える、コンピュータプログラム。
【手続補正２】
【補正対象書類名】明細書
【補正対象項目名】００７６
【補正方法】変更
【補正の内容】
【００７６】
[0081]よって、請求される主題が、開示された特定の例に限定されるものではないこと、しかしながら、そのような請求される主題はまた、添付の請求項の範囲内にあるすべての態様およびその同等物を含みうること、が意図される。
以下に、本願出願の当初の特許請求の範囲に記載された発明を付記する。
［Ｃ１］
複数の選択可能な電力モードにおいて動作可能なデバイスであり、高電力モードの前記デバイスで、
地上ベース送信機から捕捉した信号からの位相値を含む１つまたは複数の属性値を取得することと、
前記デバイスが特定の環境内にいることを示すプロフィールテストを前記１つまたは複数の属性値が満たすと決定することに応じて、前記信号を捕捉するために使用された受信機の少なくとも一部分がディスエーブルされ、イネーブルなデバイス回路の少なくとも一部分が少なくとも前記位相値に少なくとも部分的に基づいてタイミング回路を使用する、低電力モードに遷移することと
を備える方法。
［Ｃ２］
前記デバイスを前記低電力モードに前記遷移することは、前記デバイスが制限された動き状態にあるとの決定に少なくとも部分的に応じることにさらに基づく、
［Ｃ１］に記載の方法。
［Ｃ３］
前記高電力モードの前記デバイスで、前記１つまたは複数の属性値が前記プロフィールテストを満たさないとの決定に応じて、前記デバイスが前記１つまたは複数の属性値の少なくとも部分的に基づいて新しい環境内にいるかどうかを示すことに使用するための新しいプロフィールテストを生成する前記新しい環境を特徴付けることをさらに備える、
［Ｃ１］に記載の方法。
［Ｃ４］
前記低電力モードの前記デバイスで、遷移が生じるという決定に応じて、中間電力モードに遷移することと、
前記中間電力モードの前記デバイスで、前記信号を再捕捉することを試みることと、
前記再捕捉された信号から少なくとも新しい位相信号を取得することと、前記新しい位相値に少なくとも部分的に基づいて前記タイミング回路を再設定することと
をさらに備える［Ｃ１］に記載の方法。
［Ｃ５］
前記低電力モードの前記デバイスで、前記遷移が、時間値、タイミング精度値、慣性センサ値、環境センサ値、バッテリ電力値、前記プロフィールテスト、新しいプロフィールテスト、位置フィックス、またはユーザ入力のうちの少なくとも１つの少なくとも部分的に基づいて生じるかどうか決定することをさらに備える、
［Ｃ４］に記載の方法。
［Ｃ６］
前記中間電力モードの前記デバイスで、前記信号からの強度値を取得することと、前記デバイスが前記強度値に少なくとも部分的に基づいて制限された動き状態であるかどうか決定することと
をさらに備える、［Ｃ４］に記載の方法。
［Ｃ７］
前記中間電力モードの前記デバイスで、少なくとも１つの他の地上ベース送信機から受信した少なくとも１つの他の信号からの少なくとも１つの他の強度値を取得することと、前記デバイスが前記少なくとも１つの他の強度値に少なくとも部分的に基づいて前記制限された動き状態であるかどうか決定することと
をさらに備える、［Ｃ６］に記載の方法。
［Ｃ８］
前記中間電力モードの前記デバイスで、前記信号から周波数ドップラー値を取得することと、前記デバイスが前記周波数ドップラー値に少なくとも部分的に基づいて制限された動き状態であるかどうか決定することと
をさらに備える、［Ｃ４］に記載の方法。
［Ｃ９］
前記デバイスは、前記高電力モードで動作する期間よりも前記中間電力で動作するより少ない電力を使用する、
［Ｃ４］に記載の方法。
［Ｃ１０］
前記複数の信号のための対応する信号安定性値比較に少なくとも部分的に基づいて複数の地上ベース送信機から受信した複数の信号から前記信号を選択することをさらに備える、
［Ｃ１］に記載の方法。
［Ｃ１１］
少なくとも１つの他のデバイスからの前記プロフィールテストの少なくとも一部分を受信すること、または
少なくとも１つの他のデバイスに対する前記プロフィールテストの一部分を送信すること
のうちの少なくとも１つをさらに備える、［Ｃ１］に記載の方法。
［Ｃ１２］
基地局アルマナックの少なくとも一部分に少なくとも部分的に基づいて前記信号を選択することをさらに備える、
［Ｃ１］に記載の方法。
［Ｃ１３］
前記高電力モードの送信機および前記受信機の使用をイネーブルにすることと、前記低電力モードの前記送信機および前記受信機の使用をディスエーブルにすることと、前記中間電力モードの前記送信機の使用をディスエーブルにすることおよび前記受信機の使用をイネーブルにすることと
をさらに備える、［Ｃ４］に記載の方法。
［Ｃ１４］
前記中間電力モードにおいて、
送信機の使用をディスエーブルにすることと、前記受信機の使用をディスエーブルにすることと、慣性センサ、または環境センサのうちの少なくとも１つの使用をイネーブルにすることと
をさらに備える、［Ｃ１］に記載の方法。
［Ｃ１５］
前記１つまたは複数の属性値を取得することは、慣性センサ、または環境センサのうちの少なくとも１つからの１つまたは複数の信号から前記１つまたは複数の属性値のうちの少なくとも１つを取得することをさらに備える、
［Ｃ１］に記載の方法。
［Ｃ１６］
前記高電力モードの前記デバイスで、
同じ場所にいない少なくとも２つの地上ベース送信機によって送信された少なくとも２つの信号から少なくとも２つの位相値を取得することと、
前記プロフィールテストが前記少なくとも２つの位相値の間の差に少なくとも部分的に基づいて満たすかどうか決定することと
をさらに備える、［Ｃ１］に記載の方法。
［Ｃ１７］
前記高電力モードの前記デバイスで、
前記高電力モードの送信機および前記受信機の使用をイネーブルにすることと、
前記送信機を介して少なくとも１つの他のデバイスと通信することと
をさらに備える、［Ｃ１］に記載の方法。
［Ｃ１８］
複数の選択可能な電力モードにおいて動作可能なデバイスで使用するための装置であって、
高電力モードの前記デバイスで、
地上ベース送信機から捕捉した信号からの位相値を含む１つまたは複数の属性値を取得するための手段と、
前記デバイスが特定の環境内にいることを示すプロフィールテストを前記１つまたは複数の属性値が満たすと決定することに応じて低電力モードに遷移するための手段と
を備え、前記低電力モードにおいて、前記信号を捕捉するために使用された受信機の少なくとも一部分がディスエーブルされ、イネーブルなデバイス回路の少なくとも一部分が少なくとも前記位相値に少なくとも部分的に基づいてタイミング回路を使用する、
装置。
［Ｃ１９］
前記デバイスを前記低電力モードに前記遷移するための手段は、前記デバイスが制限された動き状態にあるとの決定に少なくとも部分的に応じることにさらに基づく、
［Ｃ１８］に記載の装置。
［Ｃ２０］
前記高電力モードの前記デバイスで、
前記１つまたは複数の属性値が前記プロフィールテストを満たさないとの決定に応じて、前記デバイスが前記１つまたは複数の属性値の少なくとも部分的に基づいて新しい環境内にいるかどうかを示すことに使用するための新しいプロフィールテストを生成する前記新しい環境を特徴付けるための手段をさらに備える、
［Ｃ１８］に記載の装置。
［Ｃ２１］
前記低電力モードの前記デバイスで、遷移が生じるという決定に応じて、中間電力モードに遷移するための手段と、
前記中間電力モードの前記デバイスで、前記信号を再捕捉することを試みるための手段と、前記再捕捉された信号から少なくとも新しい位相信号を取得するための手段と、前記新しい位相値に少なくとも部分的に基づいて前記タイミング回路を再設定するための手段と
をさらに備える［Ｃ１８］に記載の装置。
［Ｃ２２］
前記低電力モードの前記デバイスで、前記遷移が生じるかどうか決定するための手段をさらに備える、
［Ｃ２１］に記載の装置。
［Ｃ２３］
前記中間電力モードの前記デバイスで、前記信号からの強度値を取得するための手段と、前記デバイスが前記強度値に少なくとも部分的に基づいて制限された動き状態であるかどうか決定するための手段と
をさらに備える、［Ｃ２１］に記載の装置。
［Ｃ２４］
前記中間電力モードの前記デバイスで、少なくとも１つの他の地上ベース送信機から受信した少なくとも１つの他の信号からの少なくとも１つの他の強度値を取得するための手段と、前記デバイスが前記少なくとも１つの他の強度値に少なくとも部分的に基づいて前記制限された動き状態であるかどうか決定するための手段と
をさらに備える、［Ｃ２１］に記載の装置。
［Ｃ２５］
前記中間電力モードの前記デバイスで、前記信号から周波数ドップラー値を取得するための手段と、前記デバイスが前記周波数ドップラー値に少なくとも部分的に基づいて制限された動き状態であるかどうか決定するための手段と
をさらに備える、［Ｃ２１］に記載の装置。
［Ｃ２６］
前記複数の信号のための対応する信号安定性値の比較に少なくとも部分的に基づいて複数の地上ベース送信機から受信した複数の信号から前記信号を選択するための手段をさらに備える、
［Ｃ１８］に記載の装置。
［Ｃ２７］
少なくとも１つの他のデバイスからの前記プロフィールテストの少なくとも一部分を受信するための手段、または少なくとも１つの他のデバイスに対する前記プロフィールテストの一部分を送信するための手段のうちの少なくとも１つをさらに備える、
［Ｃ１８］に記載の装置。
［Ｃ２８］
基地局アルマナックの少なくとも一部分に少なくとも部分的に基づいて前記信号を選択するための手段をさらに備える、
［Ｃ１８］に記載の装置。
［Ｃ２９］
前記高電力モードの送信機および前記受信機の使用をイネーブルにするための手段と、前記低電力モードの前記送信機および前記受信機の使用をディスエーブルにするための手段と、前記中間電力モードの前記受信機の使用をイネーブルにするための手段および前記送信機の使用をディスエーブルにするための手段と
をさらに備える、［Ｃ２１］に記載の装置。
［Ｃ３０］
中間電力モードの前記デバイスで、送信機の使用をディスエーブルにするための手段と、前記受信機の使用をディスエーブルにするための手段と、慣性センサ、または環境センサのうちの少なくとも１つの使用をイネーブルにするための手段と
をさらに備える、［Ｃ１８］に記載の装置。
［Ｃ３１］
慣性センサ、または環境センサのうちの少なくとも１つからの１つまたは複数の信号から前記１つまたは複数の属性値のうちの少なくとも１つを取得するための手段をさらに備える、
［Ｃ１８］に記載の装置。
［Ｃ３２］
前記高電力モードの前記デバイスで、
同じ場所にいない少なくとも２つの地上ベース送信機によって送信された少なくとも２つの信号から少なくとも２つの位相値を取得するための手段と、
前記プロフィールテストが前記少なくとも２つの位相値の間の差に少なくとも部分的に基づいて満たすかどうか決定するための手段と
をさらに備える、［Ｃ１８］に記載の装置。
［Ｃ３３］
複数の選択可能な電力モードにおいて動作可能なデバイスであって、
受信機と、
タイミング回路と、
処理ユニットと
を備え、前記処理ユニットは、高電力モードの前記デバイスで、
地上ベース送信機から前記受信機を介して捕捉した信号からの位相値を含む１つまたは複数の属性値を取得することと、
前記デバイスが特定の環境内にいることを示すプロフィールテストを前記１つまたは複数の属性値が満たすと決定することに応じて、前記受信機の少なくとも一部分がディスエーブルされ、イネーブルなデバイス回路の少なくとも一部分が少なくとも前記位相値に少なくとも部分的に基づいて前記タイミング回路を使用する、低電力モードに前記デバイスを遷移することと
を行う、デバイス。
［Ｃ３４］
前記処理ユニットは、前記デバイスが制限された動き状態にあるとの決定に少なくとも部分的に応じることにさらに基づいて前記低電力モードに前記デバイスを遷移することをさらに行う、
［Ｃ３３］に記載のデバイス。
［Ｃ３５］
前記処理ユニットは、
前記高電力モードの前記デバイスで、前記１つまたは複数の属性値が前記プロフィールテストを満たさないとの決定に応じて、前記デバイスが前記１つまたは複数の属性値の少なくとも部分的に基づいて新しい環境内にいるかどうかを示すことに使用するための新しいプロフィールテストを生成する前記新しい環境を特徴付けることをさらに行う、
［Ｃ３３］に記載のデバイス。
［Ｃ３６］
前記処理ユニットは、
前記低電力モードの前記デバイスで、遷移が生じるという決定に応じて、中間電力モードに遷移することと、
前記中間電力モードの前記デバイスで、前記受信機を介して前記信号を再捕捉することを試みることと、前記信号から少なくとも新しい位相信号を取得することと、前記新しい位相値に少なくとも部分的に基づいて前記タイミング回路を再設定することと
をさらに行う、［Ｃ３３］に記載のデバイス。
［Ｃ３７］
前記処理ユニットは、前記低電力モードの前記デバイスで、前記遷移が、時間値、タイミング精度値、慣性センサ値、環境センサ値、バッテリ電力値、前記プロフィールテスト、前記新しいプロフィールテスト、位置フィックス、またはユーザ入力のうちの少なくとも１つの少なくとも部分的に基づいて生じるかどうか決定することをさらに行う、
［Ｃ３６］に記載のデバイス。
［Ｃ３８］
前記処理デバイスは、前記中間電力モードの前記デバイスで、前記信号からの強度値を取得することと、前記デバイスが前記強度値に少なくとも部分的に基づいて制限された動き状態であるかどうか決定することと
をさらに行う、［Ｃ３６］に記載のデバイス。
［Ｃ３９］
前記処理デバイスは、前記中間電力モードの前記デバイスで、少なくとも１つの他の地上ベース送信機から受信した少なくとも１つの他の信号からの少なくとも１つの他の強度値を取得することと、前記デバイスが前記少なくとも１つの他の強度値に少なくとも部分的に基づいて前記制限された動き状態であるかどうか決定することと
をさらに行う、［Ｃ３８］に記載のデバイス。
［Ｃ４０］
前記処理デバイスは、前記中間電力モードの前記デバイスで、前記信号から周波数ドップラー値を取得することと、前記デバイスが前記周波数ドップラー値に少なくとも部分的に基づいて制限された動き状態であるかどうか決定することと
をさらに行う、［Ｃ３６］に記載のデバイス。
［Ｃ４１］
前記処理デバイスは、複数の信号のための対応する信号安定性値比較に少なくとも部分的に基づいて複数の地上ベース送信機から受信した前記複数の信号から前記信号を選択することをさらに行う、
［Ｃ３３］に記載のデバイス。
［Ｃ４２］
前記処理デバイスは、前記受信機を介して少なくとも１つの他のデバイスからの前記プロフィールテストの少なくとも一部分を受信することをさらに行う、
［Ｃ３３］に記載のデバイス。
［Ｃ４３］
送信機をさらに備え、前記処理ユニットは、前記送信機を介して少なくとも１つの他のデバイスに対する前記プロフィールテストの一部分の送信を開始することをさらに行う、
［Ｃ３３］に記載のデバイス。
［Ｃ４４］
前記処理ユニットは、基地局アルマナックの少なくとも一部分に少なくとも部分的に基づいて前記信号を選択することをさらに行う、
［Ｃ３３］に記載のデバイス。
［Ｃ４５］
送信機をさらに備え、前記処理ユニットは、前記高電力モードの前記送信機および前記受信機の使用をイネーブルにすることと、前記低電力モードの前記送信機および前記受信機の使用をディスエーブルにすることと、前記中間電力モードの前記送信機の使用をディスエーブルにすることおよび前記受信機の使用をイネーブルにすることと
をさらに行う、［Ｃ３６］に記載のデバイス。
［Ｃ４６］
前記処理ユニットは、送信機の使用をディスエーブルにすることと、前記受信機の使用をディスエーブルにすることと、慣性センサ、または環境センサのうちの少なくとも１つの使用をイネーブルにすることとによって中間電力モードに前記デバイスをおくことをさらに行う、
［Ｃ３３］に記載のデバイス。
［Ｃ４７］
慣性センサ、または環境センサのうちの少なくとも１つをさらに備え、前記処理ユニットは、前記慣性センサ、または前記環境センサのうちの少なくとも１つからの１つまたは複数の信号から前記１つまたは複数の属性値のうちの少なくとも１つを取得することをさらに備える、
［Ｃ３３］に記載のデバイス。
［Ｃ４８］
前記高電力モードの前記デバイスで、前記処理ユニットは、
同じ場所にいない少なくとも２つの地上ベース送信機によって送信された少なくとも２つの信号から前記受信機を介して少なくとも２つの位相値を取得することと、
前記プロフィールテストが前記少なくとも２つの位相値の間の差に少なくとも部分的に基づいて満たすかどうか決定することと
をさらに行う、［Ｃ３３］に記載のデバイス。
［Ｃ４９］
複数の選択可能な電力モードにおいて動作可能なデバイスの処理ユニットによって実行可能なコンピュータ実装可能命令をその上に記憶した非一時的なコンピュータ可読媒体を備え、前記コンピュータ実装可能命令は、
高電力モードの前記デバイスで、
地上ベース送信機から捕捉した信号からの位相値を含む１つまたは複数の属性値を取得することと、
前記デバイスが特定の環境内にいることを示すプロフィールテストを前記１つまたは複数の属性値が満たすと決定することに応じて、前記信号を捕捉するために使用された受信機の少なくとも一部分がディスエーブルされ、イネーブルなデバイス回路の少なくとも一部分が少なくとも前記位相値に少なくとも部分的に基づいてタイミング回路を使用する、低電力モードに遷移することと
を行うように前記処理ユニットによって実行可能である、製品。
［Ｃ５０］
前記コンピュータ実装可能命令は、前記デバイスが制限された動き状態にあるとの決定に少なくとも部分的に応じることにさらに基づいて前記低電力モードに前記デバイスを遷移することを行うように前記処理ユニットによってさらに実行可能である、
［Ｃ４９］に記載の製品。
［Ｃ５１］
前記コンピュータ実装可能命令は、
前記高電力モードの前記デバイスで、前記１つまたは複数の属性値が前記プロフィールテストを満たさないとの決定に応じて、
前記デバイスが前記１つまたは複数の属性値の少なくとも部分的に基づいて新しい環境内にいるかどうかを示すことに使用するための新しいプロフィールテストを生成する前記新しい環境を特徴付けることを行うように前記処理ユニットによってさらに実行可能である、
［Ｃ４９］に記載の製品。
［Ｃ５２］
前記コンピュータ実装可能命令は、
前記低電力モードの前記デバイスで、遷移が生じるという決定に応じて、中間電力モードに前記デバイスを遷移することと、
前記中間電力モードの前記デバイスで、前記信号を再捕捉することを試みることと、前記信号のための少なくとも新しい位相信号を決定することと、前記新しい位相値に少なくとも部分的に基づいて前記タイミング回路を再設定することと
を行うように前記処理ユニットによってさらに実行可能である、［Ｃ４９］に記載の製品。
［Ｃ５３］
前記コンピュータ実装可能命令は、前記中間電力モードの前記デバイスで、前記信号からの強度値を取得することと、前記デバイスが前記強度値に少なくとも部分的に基づいて制限された動き状態であるかどうか決定することと
を行うように前記処理ユニットによってさらに実行可能である、［Ｃ５２］に記載の製品。
［Ｃ５４］
前記コンピュータ実装可能命令は、前記中間電力モードの前記デバイスで、少なくとも１つの他の地上ベース送信機から受信した少なくとも１つの他の信号からの少なくとも１つの他の強度値を取得することと、前記デバイスが前記少なくとも１つの他の強度値に少なくとも部分的に基づいて前記制限された動き状態であるかどうか決定することと
を行うように前記処理ユニットによってさらに実行可能である、［Ｃ５３］に記載の製品。
［Ｃ５５］
前記コンピュータ実装可能命令は、前記中間電力モードの前記デバイスで、前記信号から周波数ドップラー値を取得することと、前記デバイスが前記周波数ドップラー値に少なくとも部分的に基づいて制限された動き状態であるかどうか決定することと
を行うように前記処理ユニットによってさらに実行可能である、［Ｃ５２］に記載の製品。
［Ｃ５６］
前記コンピュータ実装可能命令は、複数の信号のための対応する信号安定性値の比較、または基地局アルマナックのうちの少なくとも１つに少なくとも部分的に基づいて複数の地上ベース送信機から受信した前記複数の信号から前記信号を選択することを行うように前記処理ユニットによってさらに実行可能である、
［Ｃ４９］に記載の製品。
［Ｃ５７］
前記コンピュータ実装可能命令は、少なくとも１つの他のデバイスからの前記プロフィールテストの少なくとも一部分を受信すること、または少なくとも１つの他のデバイスに対する前記プロフィールテストの一部分を提供することのうちの少なくとも１つを開始することを行うように前記処理ユニットによってさらに実行可能である、
［Ｃ４９］に記載の製品。
［Ｃ５８］
前記コンピュータ実装可能命令は、慣性センサ、または環境センサのうちの少なくとも１つからの１つまたは複数の信号から前記１つまたは複数の属性値のうちの少なくとも１つをさらに取得することを行うように前記処理ユニットによってさらに実行可能である、
［Ｃ４９］に記載の製品。
［Ｃ５９］
前記コンピュータ実装可能命令は、前記高電力モードの送信機および前記受信機の使用をイネーブルにすることと、前記低電力モードの前記送信機および前記受信機の使用をディスエーブルにすることと、前記中間電力モードの前記送信機の使用をディスエーブルにすることおよび前記受信機の使用をイネーブルにすることと
を開始することを行うように前記処理ユニットによってさらに実行可能である、［Ｃ４９］に記載の製品。
［Ｃ６０］
前記コンピュータ実装可能命令は、中間電力モードの前記デバイスで、送信機の使用をディスエーブルにすることと、前記受信機の使用をディスエーブルにすることと、慣性センサ、または環境センサのうちの少なくとも１つの使用をイネーブルにすることとを開始することを行うように前記処理ユニットによってさらに実行可能である、
［Ｃ４９］に記載の製品。
［Ｃ６１］
前記コンピュータ実装可能命令は、前記高電力モードの前記デバイスで、
同じ場所にいない少なくとも２つの地上ベース送信機によって送信された少なくとも２つの信号から少なくとも２つの位相値を取得することと、
前記プロフィールテストが前記少なくとも２つの位相値の間の差に少なくとも部分的に基づいて満たすかどうか決定することと
を行うように前記処理ユニットによってさらに実行可能である、［Ｃ４９］に記載の製品。